(57)【要約】  【課題】  収納箱の開口に装着するビルトインフレームに位置決め用のガイド部を設けることで装着性の向上を図る。【解決手段】  枠形状のビルトインフレーム１０の縦枠部材１１、１３の枠内周面となる側壁部１１ａ、１３ａにガイド部１５、１６を設ける。ガイド部１５、１６は収納箱の内部に配置される直方体状の電気機器の側面に当接する側面当接部１５ａ、１６ａと、電気機器の上面に当接する上面当接部１５ｄ、１６ｄと、電気機器の下面に当接する下面当接部１５ｅ、１６ｅとを有する。ビルトインフレーム１０は収納箱の開口縁に装着される際、ガイド部１５、１６を電気機器の外面に当接させて位置決めを行う。【選択図】        図１
2005279104.tif 000002
【特許請求の範囲】
【請求項１】
開口が形成された収納箱内に配置される電気機器の周囲と開口縁との間に生じる隙間を閉鎖するように開口縁に装着される装着枠具において、
電気機器の外面に当接して位置決めを行うガイド部が設けてあることを特徴とする装着枠具。
【請求項２】
前記ガイド部は、
枠内側部に沿って設けてあり、電気機器の側面に当接する側面当接部と、
該側面当接部の一端から突設してあり、電気機器の上面に当接する上面当接部と、
前記側面当接部の他端から突設してあり、電気機器の下面に当接する下面当接部と
を備える請求項１に記載の装着枠具。
【請求項３】
直方体状の筐体の操作側となる周囲に枠部を突設しており、開口が形成された収納箱内に配置されて開口縁と筐体との間に生じる隙間を前記枠部で閉鎖するようにしてある電気機器であって、
収納箱の開口内面に当接して位置決めを行う当接ガイドが前記枠部に設けてあることを特徴とする電気機器。
【請求項４】
上板、下板及び対向する２枚の側板により開口が形成された収納箱内へ、直方体状の筐体の操作側となる周囲に枠部が突設してある電気機器を開口縁と筐体との間に生じる隙間を該枠部で閉鎖して取り付ける電気機器の取付構造であって、
前記枠部の収納箱の側板に対向する箇所には、側板の所要厚み寸法に応じた間隔を隔てて複数の穴が形成してあり、
該複数の穴の中で電気機器の取付対象となる収納箱の側板内面に応じた位置にある穴に棒状部材を固着して、該棒状部材を側板内面に当接させた状態で電気機器を収納箱内へ取り付けることを特徴とする電気機器の取付構造。
【請求項５】
上板、下板及び対向する２枚の側板により開口が形成された収納箱内へ、直方体状の筐体の操作側となる周囲に突設した枠部に収納箱の側板の所要厚み寸法に応じた間隔を隔てて複数の当接ガイドが所要の側板の内面に当接できるように設けてある電気機器を取り付ける電気機器の取付方法であって、
電気機器を取り付ける場合、複数の当接ガイドの中で収納箱の側板に干渉する当接ガイドがあるときは、干渉する当接ガイドを除去し、
残った当接ガイドの中で最外側の当接ガイドを側板内面に当接して電気機器の位置決めを行い、
位置決めを行った状態で電気機器を収納箱内に取り付けることを特徴とする電気機器の取付方法。
【発明の詳細な説明】
【技術分野】
【０００１】
本発明は、前方が開口した収納空間を有する収納家具、収納キャビネット及び収納ラック等の収納箱にビルトイン型の各種電気機器を取り付ける際に使用される装着枠具、装着枠具に相当する枠部を筐体に設けた電気機器、このような電気機器の取付構造及び取付方法に関する。
【背景技術】
【０００２】
従来、キッチンの美観及びユーザの使いやすさを向上するために、キッチン周囲に据え付けられた収納箱（ビルトイン箱）に加熱調理用であるビルトイン型の電気機器を取り付けることが行われている。
【０００３】
図１１は、従来の電気機器の取付構造に係る概略斜視図であり、収納箱１の内部に電気機器である電子レンジ２を配置して装着枠具に相当する四角枠形状のビルトインフレーム４を取り付ける状態を示したものである。収納箱１は上板１ａ、下板１ｂ、左右の側板１ｃ、１ｄ、及び図示しない背板で収納空間を内部に設けると共に前方には電子レンジ２の前面２ａより大きい開口１ｅを形成している。電子レンジ２は、左右の側面２ｂ、２ｃ及び背面２ｄに細板片を三回折り曲げた形状のアングル３を夫々ボルト（図示せず）で取り付けてから収納箱１の内部に配置される。この際、アングル３の端部が収納箱１の内面に当接することにより電子レンジ２の位置決めが行われる。
【０００４】
図１２は、収納箱１の内部に電子レンジ２を配置した状態を示す。電子レンジ２は、下面に取り付けられた脚部２ｇ、２ｉにより収納箱１の下板１ｂより持ち上げられると共に、周囲に突出したアングル３で収納箱１の内部での位置が規制されており、結果として電子レンジ２の周囲と開口１ｅの縁との間には隙間Ｓが存在した状態になっている。図１１に示すビルトインフレーム４は隙間Ｓを閉鎖するものであり、外周形状を収納箱１の開口１ｅの外縁と略同等にすると共に、内周形状を電子レンジ２の外形より少しだけ大きくしており、四隅にはボルト穴４ａ〜４ｄを穿設している。
【０００５】
ビルトインフレーム４は、ボルト穴４ａ〜４ｄに挿通させた図示しないボルトで開口１ｅの周縁に装着されて隙間Ｓを閉鎖し、電子レンジ２が収納箱１に取り付けられた状態の外観を損ねないようにしている。なお、アングル３のような取付具を用いた調理器の取付に関しては下記の特許文献１でも開示されている。
【特許文献１】実開平１−１００００６号公報
【発明の開示】
【発明が解決しようとする課題】
【０００６】
ビルトインフレーム４は枠内の形状が電子レンジ２よりも少し大きいため、ビルトインフレーム４を実際に収納箱１に装着する場合は、収納箱１及び電子レンジ２に対してビルトインフレーム４が左右いずれかに偏ったり、又は傾いたりすることがないように、バランス良く位置を整える必要があった。さらに、整えた位置を維持したままボルト締め作業を行う必要があるため、ビルトインフレーム４の装着は作業者に困難な作業を強いると云う問題がある。
【０００７】
また、電子レンジ２には位置決めを行うためにアングル３を取り付ける必要があるため、電子レンジ２の収納箱１への取付作業は手間を要していたと云う問題がある。さらに、電子レンジ２の取付対象となる収納箱１は、仕様が相異すれば外形寸法が同等であっても、上板１ａ、下板１ｂ、左右の側板１ｃ、１ｄに用いられる板の厚みが異なる場合があり、一様に電子レンジ２を位置決めして配置できないこともあり、場合によっては仕様の異なる収納箱毎にビルトインフレーム４を構成する専用部品を設ける必要があった。
【０００８】
本発明は、斯かる問題に鑑みてなされたものであり、ビルトインフレームに電気機器と当接して位置決めできるガイド部を設けることで、ビルトインフレームを容易に装着できるようにした装着枠部を提供することを目的とする。
また、本発明は、電気機器の前面側の周囲にビルトインフレームに相当する枠部を設けると共に、該枠部に収納箱の開口内面に当接する当接ガイドを設けることで、アングルを用いることなしに電気機器を位置決めして容易に収納箱に取り付けられるようにした電気機器を提供することを目的とする。
【０００９】
さらに、本発明は、電気機器の取付対象となる収納箱の側板の所要の厚み寸法に応じて位置決めできるようにすることで、相異する仕様の収納箱に対して専用部品を設けることなく電気機器を適切に位置決めして取り付けられるようにした電気機器の取付構造及び取付方法を提供することを目的とする。
【課題を解決するための手段】
【００１０】
上記課題を解決するために本発明に係る装着枠具は、開口が形成された収納箱内に配置される電気機器の周囲と開口縁との間に生じる隙間を閉鎖するように開口縁に装着される装着枠具において、電気機器の外面に当接して位置決めを行うガイド部が設けてあることを特徴とする。
【００１１】
本発明にあっては、電気機器の外面に当接して位置決めを行うガイド部を設けることで、装着枠具を開口縁に装着する際に、ガイド部を電気機器に当接して位置決めでき、その結果、装着枠具の装着位置が自然に定まるようになる。よって、装着枠具をガイド部により位置決めした状態で容易に装着できるようになる。
【００１２】
本発明に係る装着枠具は、前記ガイド部は、枠内側部に沿って設けてあり、電気機器の側面に当接する側面当接部と、該側面当接部の一端から突設してあり、電気機器の上面に当接する上面当接部と、前記側面当接部の他端から突設してあり、電気機器の下面に当接する下面当接部とを備えることを特徴とする。
【００１３】
本発明にあっては、電気機器の側面に当接する側面当接部と、電気機器の上面に当接する上面当接部と、電気機器の下面に当接する下面当接部とをガイド部が備えるので、各当接部を電気機器に当接すれば水平方向及び垂直方向の両方向に対して同時に一段と精度良く装着枠具を位置決めできる。よって、装着枠具の装着作業が一段と容易になると共に装着精度も向上する。
【００１４】
本発明に係る電気機器は、直方体状の筐体の操作側となる周囲に枠部を突設しており、開口が形成された収納箱内に配置されて開口縁と筐体との間に生じる隙間を前記枠部で閉鎖するようにしてある電気機器であって、収納箱の開口内面に当接して位置決めを行う当接ガイドが前記枠部に設けてあることを特徴とする。
【００１５】
本発明にあっては、電気機器が枠部を突設すると共に、その枠部に当接ガイドを設けているので、収納箱への取付時に当接ガイドを開口内面に当接することにより、電気機器の配置位置を規制できるようになる。その結果、電気機器を容易に位置決めして収納箱内に取り付けることができる。
【００１６】
本発明に係る電気機器の取付構造は、上板、下板及び対向する２枚の側板により開口が形成された収納箱内へ、直方体状の筐体の操作側となる周囲に枠部が突設してある電気機器を開口縁と筐体との間に生じる隙間を該枠部で閉鎖して取り付ける電気機器の取付構造であって、前記枠部の収納箱の側板に対向する箇所には、側板の所要厚み寸法に応じた間隔を隔てて複数の穴が形成してあり、該複数の穴の中で電気機器の取付対象となる収納箱の側板内面に応じた位置にある穴に棒状部材を固着して、該棒状部材を側板内面に当接させた状態で電気機器を収納箱内へ取り付けることを特徴とする。
【００１７】
本発明にあっては、電気機器の枠部には、収納箱の側板の所要厚み寸法に応じて棒状部材が固着可能な複数の穴が形成してあるので、取付対象となる仕様の収納箱が有する側板の厚みに応じた穴に棒状部材を固着することで、電気機器の収納箱への取付時に側板内面に当接するガイドとして固着した棒着部材を利用できるようになる。よって、本発明に係る電気機器の取付構造では、収納箱の仕様に関わらず共用できる枠部で確実に位置決めを行える。
【００１８】
本発明に係る電気機器の取付方法は、上板、下板及び対向する２枚の側板により開口が形成された収納箱内へ、直方体状の筐体の操作側となる周囲に突設した枠部に収納箱の側板の所要厚み寸法に応じた間隔を隔てて複数の当接ガイドが所要の側板の内面に当接できるように設けてある電気機器を取り付ける電気機器の取付方法であって、電気機器を取り付ける場合、複数の当接ガイドの中で収納箱の側板に干渉する当接ガイドがあるときは、干渉する当接ガイドを除去し、残った当接ガイドの中で最外側の当接ガイドを側板内面に当接して電気機器の位置決めを行い、位置決めを行った状態で電気機器を収納箱内に取り付けることを特徴とする。
【００１９】
本発明にあっては、電気機器の枠部には、収納箱の側板の所要厚み寸法に応じて複数の当接ガイドが突設してあるので、取付対象となる収納箱の側板の厚みに応じた当接ガイドを利用することで、電気機器を確実に位置決めして取り付けることが可能になる。また、側板の厚みによっては干渉する当接ガイドも生じるが、このような場合は干渉する当接ガイドを除去して干渉を解消すると共に、残った最外側の当接ガイドを側板内面に当接させることで、収納箱の仕様に関係なく、専用部品でない共用の枠部で電気機器を確実に位置決めできるようになる。
【発明の効果】
【００２０】
本発明にあっては、電気機器の外面に当接するように設けたガイド部を、装着枠具を開口縁に装着する際の位置決めに利用するので、装着枠具の位置決めを容易にでき且つ装着作業性も向上できる。
また、本発明にあっては、電気機器の側面に当接する側面当接部と、電気機器の上面に当接する上面当接部と、電気機器の下面に当接する下面当接部とをガイド部が備えるので、各当接部を電気機器に当接すれば水平方向及び垂直方向の両方向に対して同時に精度良く装着枠具を位置決めできる。
【００２１】
さらに、本発明にあっては、電気機器に枠部を突設すると共に、その枠部に当接ガイドを設けているので、収納箱への取付時に当接ガイドを開口内面に当接することにより電気機器の配置位置を規制でき、その結果、電気機器を容易に位置決めして収納箱内に取り付けることができる。
【００２２】
本発明にあっては、電気機器の枠部に、収納箱の側板の所要厚み寸法に応じて棒状部材が固着可能な複数の穴を形成すると共に、取付対象となる収納箱の側板の厚みに応じた穴に棒状部材を固着することで、収納箱の側板が相異しても電気機器の収納箱内の位置決めを確実に行って取り付けることができる。
また、本発明にあっては、電気機器の枠部に収納箱の側板の所要厚み寸法に応じて複数の当接ガイドを突設し、取付対象となる収納箱の側板の厚みによっては干渉する当接ガイドを除去することにより、収納箱の仕様に関係なく残った当接ガイドで電気機器を収納箱内に位置決めして、電気機器を容易に取り付けることができる。
【発明を実施するための最良の形態】
【００２３】
図１（ａ）は、本発明の第１実施形態に係る装着枠具に相当するビルトインフレーム１０の斜視図であり、図１（ｂ）はビルトインフレーム１０の背面側からの概略図である。なお、第１実施形態は、ビルトインフレーム１０以外の構成は従来と同様であるため、他の構成に関しては従来と同一の符号を用いて説明する。
ビルトインフレーム１０は、図１１に示すように、矩形状の開口１ｅが形成された収納箱１の内部に配置される電気機器である電子レンジ２の周囲と開口１ｅの縁との間に生じる隙間を閉鎖するために、開口１ｅの縁に装着されるものである。
【００２４】
ビルトインフレーム１０は、左右の縦枠部材１１、１３及び上下の横枠部材１２、１４を組み合わせて四角枠形状を構成すると共に、四隅にはボルト穴１０ａ〜１０ｄを穿設している。なお、ビルトインフレーム１０の外周は、収納箱１０の開口１ｅの外縁と略同等であり、内周は電子レンジ２の外周寸法より少し大きくしている。
【００２５】
ビルトインフレーム１０の左右の縦枠部材１１、１３は、枠内側部となる側壁部１１ａ、１３ａにガイド部１５、１６を夫々設けている。各ガイド部１５、１６は、縦枠部材１１、１３の側壁部１１ａ、１３ａの背面側となる縦辺に沿って連続して延在する側面当接部１５ａ、１６ａを有している。側面当接部１５ａ、１６ａは、長手方向に対して垂直となる方向の断面が略Ｌ字状に形成されており、左の側面当接部１５ａと右の側面当接部１６ａとの間隔を、電子レンジ２の幅寸法よりほんの僅かだけ大きい寸法にしている。なお、このように側面当接部１５ａと右の側面当接部１６ａとの間隔を電子レンジ２の幅寸法に対し余裕を持たせることで、ビルトインフレーム１０の装着が困難になることを防止している。
【００２６】
また、左右の側面当接部１５ａ、１６ａの上の横枠部材１２側となる上端１５ｂ、１６ｂからは、上面当接部１５ｄ、１６ｄを横枠部材１２と平行に夫々突設しており、さらに下の横枠部材１４側となる下端１５ｃ、１６ｃからは下面当接部１５ｅ、１６ｅを横枠部材１４と平行に夫々当接している。縦枠部材１１、１３と平行な方向に関しては、上面当接部１５ｄ、１６ｄと下面当接部１５ｅ、１６ｅとの間の各々の寸法が電子レンジ２の高さ寸法と略同等（所謂、中間ばめ、又はすきまばめ程度の寸法）となるように数値を設定している。
【００２７】
図２（ａ）は、図１２に示す電子レンジ２が配置された収納箱１の開口１ｅの縁にビルトインフレーム１０を装着した状態を示す電子レンジ２の操作側となる前面からの概略図であり、図２（ｂ）は図２（ａ）のＡ−Ａ線での断面図である。ビルトインフレーム１０を装着する際、幅方向に関してはガイド部１５、１６の側面当接部１５ａ、１６ａの少なくとも一方が電子レンジ２の左右いずれかの側面２ｂ、２ｃに当接させるようにして（図２（ａ）では右側面２ｂに右の側面当接部１６ａを当接）、ビルトインフレーム１０の幅方向の位置決めを行う。
【００２８】
また、ビルトインフレーム１０を装着する際、縦方向に関してはガイド部１５、１６の上面当接部１５ｄ、１６ｄ及び下面当接部１５ｅ、１６ｅが電子レンジ２の上下面２ｅ、２ｆに当接するため、上面当接部１５ｄ、１６ｄ及び下面当接部１５ｅ、１６ｅで電子レンジ２を上下から挟持したような状態になって、ビルトインフレーム１０の縦方向の位置決めが行われる。よって、ビルトインフレーム１０は収納箱１の開口１ｅの周縁に装着するだけで、ガイド部１５、１６が電子レンジ１の外面に夫々当接して位置決めを行うため、特に位置決めに配慮することなくボルトの締結作業に集中できる。その結果、第１実施形態のビルトインフレーム１０は、装着作業に係る手間を従来に比べて大幅に低減した上で、装着精度の維持も向上させている。
【００２９】
なお、第１実施形態のビルトインフレーム１０は、上述した形態に限定されるものではなく、種々の変形例の適用が可能である。例えば、ビルトインフレーム１０の位置決め性を重視する場合は、左の側面当接部１５ａと右の側面当接部１６ａとの間隔を、電子レンジ２の幅寸法と略同等（所謂、中間ばめ、又はすきまばめ程度の寸法）に設定してもよい。また、縦方向の位置決めは上面当接部１５ｄ、１６ｄのみで行うようにする場合は、下面当接部１５ｅ、１６ｅを省略でき、縦方向の位置決めが不要であれば、上面当接部１５ｄ、１６ｄ及び下面当接部１５ｅ、１６ｅの両方を省略してもよい。さらに、側面当接部１５ａ、１６ａは左右の縦枠部材１１、１３に沿って延在させる以外に、部分的に設けるようにしてもよい。また、上面当接部１５ｄ、１６ｄ及び下面当接部１５ｅ、１６ｅは、上下の横枠部材１２、１４から突設させるようにしてもよく、側面当接部１５ａ、１６ａ、上面当接部１５ｄ、１６ｄ及び下面当接部１５ｅ、１６ｅを枠内の四隅に設けるような形態にすることも可能である。
【００３０】
図３は、本発明の第２実施形態に係る電気機器である電子レンジ２０を収納箱１の内部に取り付ける状態を示す概略斜視図である。第２実施形態では、第１実施形態のビルトインフレーム１０を用いる代わりに、ビルトインフレーム１０に相当する枠部２３を電子レンジ２０の操作側となる前面２０ａの周囲に設けて、この枠部２３により収納箱１の開口１ｅの縁と電子レンジ２０の直方体状の筐体２１との間に生じる隙間を閉鎖すると共に電子レンジ２０の位置決めを行うようにしている。なお、収納箱１の構造は従来と同様であるため、従来と同一の符号を付しており、また、枠部２３で電子レンジ２０を位置決めするため、従来用いられていたアングル３（図１１参照）を第２実施形態では使用していない。
【００３１】
図４は、電子レンジ２０の前面パネル２２及び枠体２３を背面側から見た概略図である。枠部２３は前面パネル２２と組み合わされており、図３に示す筐体２１の周囲から突出するように左右の縦枠部材２３ａ、２３ｃ及び上下の横枠部材２３ｂ、２３ｄを設けて形成されている。左右の縦枠部材２３ａ、２３ｃの背面には当接ガイド２４、２５が夫々立設している。各当接ガイド２４、２５は電子レンジ２０の配置箇所を規制案内する案内部２４ａ、２５ａと、各案内部２４ａ、２５ａを補強するリブ部２４ｂ、２５ｂとから形成されている。
【００３２】
左右の案内部２４ａ、２５ａは、縦部材２３ａ、２３ｃに沿って延在しており、両案内部２４ａ、２５ａの外面同士の間隔は、収納箱１の開口１ｅの開口幅寸法と同等にしてあり、また、各案内部２４ａ、２５ａの立設位置は、枠部２３の外周を開口１ｅの外縁に略一致するようにした状態で、左右の側板１ｄ、１ｃの内面に当接するように設定されている。
【００３３】
図５（ａ）（ｂ）は、電子レンジ２０を収納箱１へ取り付けた状態である取付構造を示す断面図である。電子レンジ２０を図３に示すように開口１ｅから収納箱１の内部へ配置すると、図５（ｂ）に示すように電子レンジ２０の脚部２０ｅ、２０ｆが収納箱１の下板１ｂに載置された状態になり、さらに奥方へ押し込むと枠部２３の当接ガイド２４、２５が収納箱１の側板１ｃ、１ｄに当接される。
【００３４】
具体的には、図５（ａ）に示すように、各当接ガイド２４、２５の案内部２４ａ、２５ａの外面が収納箱１の側板１ｃ、１ｄの内面に面接触状態で当接する。この案内部２４ａ、２５ａの側板１ｃ、１ｄへの当接により電子レンジ２０の幅方向に対する取付位置が規制される。また、電子レンジ２０を枠部２３の背面部２３ｅが収納箱１の開口１ｅの周縁に当接するまで押し込むことで、電子レンジ２０の奥行き方向の取付位置も規制される。
【００３５】
よって、第２実施形態の電子レンジ２０では、収納箱１へ配置するだけで自然と取付位置が決まるため、図１１、１２に示すアングル３が不要になり、且つ枠部２３に設けた当接ガイド２４、２５により取付精度も確保できる。上述したように電子レンジ２０を収納箱１に配置した後は、枠部２３の四隅のボルト穴２０ａ〜２０ｄにボルト（図示せず）を挿通し収納箱１に電子レンジ２０を固定する。
【００３６】
なお、第２実施形態は、上述した形態に限定されるものではなく種々の変形例が存在する。図６は変形例に係る前面パネル３２及び枠部３３の背面側から見た概略図である。枠部３３の左右の縦枠部材３３ａ、３３ｃは、収納箱１への取付時に側板１ｃ、１ｄと対向する箇所に円筒状の複数のボス部３５〜３８を立設し、各ボス部３５〜３８には雌ねじ加工を施したネジ穴３５ａ〜３８ａを形成している。
【００３７】
図７に示すように、各ボス部３５〜３８は、棒状部材に相当するネジ軸部３９ａの一端に頭部３９ｂを有するネジ３９をネジ穴３５ａ〜３８ａに固着可能にしている。また、左側のボス部３５、３６の間のピッチ寸法Ｐ１は、図８（ａ）（ｂ）に示すように外寸が略同寸法である仕様の収納箱１、１′に適用できる側板１ｄ、１ｄ′の厚み寸法の差（Ｔ２−Ｔ１：Ｔ２＞Ｔ１）に応じた数値に設定している。さらに、外側のボス部３５の枠部３３の外縁３３ｆまでの寸法Ｐ２は、図８（ａ）に示すように枠部３３の外周と収納箱１の外周とが略一致した状態でボス部３５に固着したネジ３９の頭部３９ｂが側板１ｄの内面に接するように設定している。
【００３８】
なお、右側のボス部３７、３８も左側と同様な構成にしている。また、左右の外側のボス部３５、３８の間の寸法Ｐ３は、各ボス部３５、３８にネジ３９を固着した場合に左右のネジ３９の頭部３９ｂ間の外側寸法が図８（ａ）の収納箱１の開口１ｅの幅寸法と同等になるように設定している。
【００３９】
上述した変形例の前面パネル３２及び枠部３３を有する電子レンジ２０を、図８（ａ）の側板１ｃ、１ｄの厚み寸法がＴ１である収納箱１に取り付ける場合は、外側のボス部３５、３８にネジ３９を固着してから、電子レンジ２０を収納箱１へ配置する。そうすれば、ネジ３９の頭部３９ｂが側板１ｃ、１ｄの内面に当接するため、電子レンジ２０の幅方向の位置が決められる。
【００４０】
また、電子レンジ２０を、図８（ｂ）に示す左右の側板１ｄ′の厚み寸法がＴ２である収納箱１′に取り付ける場合は、左右の内側のボス部３６、３７にネジ３９を固着し、電子レンジ２０を収納箱１′へ配置すると、ネジ３９の頭部３９ｂが左右の側板１ｄ′の内面に当接するため、電子レンジ２０の幅方向の位置が決められる。よって、変形例の取付構造では、収納箱１の側板寸法が相異しても、ネジ３９の固着位置を変更することで柔軟に対応でき、専用の部品を設けることなく電子レンジ２０の位置決めを行える。なお、各ボス部３５〜３８は図６に示すように水平方向に一列だけ設ける以外にも、縦枠部材３３ａ、３３ｃの長さ方向に間隔を隔てて複数列設けるようにしてもよい。
【００４１】
図９は、第２実施形態の別の変形例に係る前面パネル４２及び枠部４３の背面側から見た概略図である。枠部４３の左右の縦枠部材４３ａ、４３ｃは、収納箱１への取付時に側板１ｃ、１ｄと対向する箇所に複数の当接ガイド４５〜４８を立設している。各当接ガイド４５〜４８は、図４に示す当接ガイド２４、２５と長さは相異する以外は、同等の構成であり、電子レンジ２０の配置箇所を規制案内する案内部４５ａ〜４８ａと、各案内部４５ａ〜４８ａを補強するリブ部４５ｂ〜４８ｂとから形成されている。なお、左右の外側の当接ガイド４５、４８の立設箇所は、図４に示す当接ガイド２４、２５と同等である。また、左側の当接ガイド４５、４６同士の間隔、及び右側の当接ガイド４７、４８同士の間隔は、図８（ａ）（ｂ）の仕様の異なる収納箱１、１′の側板１ｄ、１ｄ′の厚み寸法の差（Ｔ２−Ｔ１）に応じた寸法に設定している。
【００４２】
図１０（ａ）は、変形例の前面パネル４２及び枠部４３を有する電子レンジ２０を、側板１ｃ、１ｄの厚み寸法がＴ１である収納箱１に取り付けた場合の取付構造を示す要部断面図である。この場合、電子レンジ２０の取付方法は、外側の当接ガイド４５、４８の案内部４５ａ、４８ａが側板１ｃ、１ｄの内面に当接して電子レンジ２０の幅方向の位置決めを行い、この状態で電子レンジ２０を奥方向へ押し込んで収納箱１内に配置し、最後にボルトにより電子レンジ２０を収納箱１に固定する。
【００４３】
また、図１０（ｂ）は、変形例の前面パネル４２及び枠部４３を有する電子レンジ２０を、側板１ｄ′の厚み寸法がＴ２である収納箱１′に取り付けた場合の取付構造を示す要部断面図である。この場合、電子レンジ２０の取付方法は、電子レンジ２０の取付の際、外側の当接ガイド４５、４８の案内部４５ａ、４８ａが左右の側板１ｄ′と干渉するため、案内部４５ａ、４８ａの先端部分（図中、二点鎖線で示す）を切断して除去し、それから最外側となる当接ガイド４６、４７の案内部４６ａ、４７ａを側板１ｄ′の内面に当接させて電子レンジ２０の幅方向の位置決めを行う。この状態でこの状態で電子レンジ２０を奥方向へ押し込んで収納箱１′内に配置し、最後にボルトで電子レンジ２０を収納箱１′に固定して、電子レンジ２０を収納箱１に取り付ける。
【００４４】
よって、第２実施形態の各変形例の構造を用いることで、収納箱の相異する仕様に影響されることなく、共通の枠部３３、４３で確実に電子レンジ２０を位置決めして取り付けることが可能になる。なお、各実施形態において、収納箱へ取り付ける電気機器は、電子レンジに限定されることはなく、他の調理用電気機器、又は調理用以外のビルトイン型の各種電気器も対象となり、このようなビルトイン型の電気機器を室内に据え付けられた収納家具、収納キャビネット及び収納ラック等の収納箱へ取り付ける場合に本発明を適用できる。
【図面の簡単な説明】
【００４５】
【図１】（ａ）は本発明の第１実施形態に係るビルトインフレームの斜視図であり、（ｂ）は背面側からの概略図である。
【図２】（ａ）は収納箱にビルトインフレームを装着した状態を示す前面からの概略図であり、（ｂ）は（ａ）のＡ−Ａ線における断面図である。
【図３】本発明の第２実施形態に係る電子レンジを収納箱に取り付ける状態を示す概略斜視図である。
【図４】第２実施形態に係る電子レンジの前面パネル及び枠部の背面側からの概略図である。
【図５】（ａ）は図３のＢ−Ｂ線における電子レンジの取付構造を示す断面図であり、（ｂ）は（ａ）のＣ−Ｃ線における電子レンジの取付構造を示す断面図である。
【図６】第２実施形態の変形例に係る電子レンジの前面パネル及び枠部の背面側からの概略図である。
【図７】図６のＤ−Ｄ線における断面図である。
【図８】（ａ）は側板の薄い場合の電子レンジの取付構造を示す図６のＥ−Ｅ線における要部断面図であり、（ｂ）は側板の厚い場合の取付構造を示す要部断面図である。
【図９】第２実施形態の別の変形例に係る電子レンジの前面パネル及び枠部の背面側からの概略図である。
【図１０】（ａ）は側板の薄い場合の電子レンジの取付構造を示す図９のＦ−Ｆ線での要部断面図であり、（ｂ）は側板の厚い場合の取付構造を示す要部断面図である。
【図１１】従来の電子レンジを収納箱へ取り付ける状態を示す概略斜視図である。
【図１２】電子レンジを収納箱へ配置した状態を示す前面側からの概略図である。
【符号の説明】
【００４６】
１、１′  収納箱
１ｃ、１ｄ、１ｄ′  側板
１ｅ  開口
２、２０  電子レンジ
４、１０  ビルトインフレーム
１５、１６  ガイド部
１５ａ、１６ａ  側面当接部
１５ｄ、１６ｄ  上面当接部
１５ｅ、１６ｅ  下面当接部
２１  筐体
２２、３２、４２  前面パネル
２３、３３、４３  枠部
２４、２５、４５〜４８  当接ガイド
３５〜３８  ボス部
３９  ネジ
【図１】
2005279104.tif 000003
【図２】
2005279104.tif 000004
【図３】
2005279104.tif 000005
【図４】
2005279104.tif 000006
【図５】
2005279104.tif 000007
【図６】
2005279104.tif 000008
【図７】
2005279104.tif 000009
【図８】
2005279104.tif 000010
【図９】
2005279104.tif 000011
【図１０】
2005279104.tif 000012
【図１１】
2005279104.tif 000013
【図１２】
2005279104.tif 000014